(57)【要約】【課題】準耐火構造を備える意匠性に優れた木製のオープン階段を、容易に形成することのできるオープン階段の耐火構造を提供する。【解決手段】一対の木製のササラ桁１１に支持させて、複数の木製の段板１２を取り付けることにより形成される木製のオープン階段２０に、準耐火構造としての耐火性能を付与するための耐火構造であって、ササラ桁１１は、厚さが６０ｍｍ以上の木製材料を用いて形成されており、ササラ桁１１の各段に取り付けられる段板１２は、厚さが３５ｍｍ以上の木製材料を用いて形成されており、各段の段板１２の下面における一対のササラ桁１１の水平段部１１ｃによって挟まれる部分である下面矩形領域１２ａを覆って、木製耐火被覆材１３が取り付けられている。段板１２は、段板固定平プレート５０に重ね合わせた状態で、ササラ桁１１の水平段部１１ｃに取り付けられている。【選択図】図１
2020133330.tif 000002
【特許請求の範囲】
【請求項１】
一対の木製のササラ桁に支持させて複数の木製の段板を取り付けることにより形成されるオープン階段の耐火構造であって、
前記ササラ桁は、厚さが６０ｍｍ以上の木製材料を用いて形成されており、
前記ササラ桁の各段に取り付けられる前記段板は、厚さが３５ｍｍ以上の木製材料を用いて形成されており、
各段の前記段板の下面における前記一対のササラ桁の水平段部によって挟まれる部分である下面矩形領域を覆って、木製耐火被覆材が取り付けられているオープン階段の耐火構造。
【請求項２】
前記木製耐火被覆材が、密度が０．５ｇ／ｃｍ3以上の木製材料を用いて形成されている請求項１記載のオープン階段の耐火構造。
【請求項３】
各段の前記段板の下面における前記一対のササラ桁の水平段部によって挟まれる部分である下面矩形領域を覆って、前記木製耐火被覆材が、前記段板との合計の厚さが６０ｍｍ以下となるように取り付けられている請求項１又は２記載のオープン階段の耐火構造。
【請求項４】
前記木製耐火被覆材は、前記ササラ桁の水平段部によって挟まれる前記下面矩形領域において、前記水平段部の先端から３５〜１５０ｍｍ、後端側に離間した部分までの領域を覆って取り付けられている請求項１〜３のいずれか１項記載のオープン階段の耐火構造。
【請求項５】
前記一対のササラ桁の各段の水平段部に両端部を固定して、段板固定用平プレートが各々取り付けられており、
前記段板の下面には、切削加工を施すことにより、前記段板固定用平プレートの厚さと同様の深さを有すると共に、前記段板固定用平プレートの全体が納まる平面形状を備えるプレート収容掘込み部が形成されており、
前記段板固定平プレートを前記プレート収容掘込み部に収容しつつ下面を前記段板固定平プレートに重ね合わせた状態で、前記段板が取り付けられており、
前記下面矩形領域において露出する前記段板固定平プレートを下方から覆い隠すようにして、前記木製耐火被覆材が取り付けられている請求項１〜４のいずれか１項記載のオープン階段の耐火構造。
【請求項６】
前記一対のササラ桁の各段の水平段部に両端部分の桁固定部を重ね合わせた状態で、前記段板固定用平プレートの上方から固定部材を桁固定孔に打ち込むことにより、前記段板固定用平プレートを前記一対のササラ桁に固定し、前記段板固定平プレートを前記プレート収容掘込み部に収容しつつ下面を前記段板固定平プレートに重ね合わせた状態で、前記段板固定平プレートの下方から固定部材を段板固定孔に打ち込むことにより、前記段板が、前記段板固定用平プレートを介して前記一対のササラ桁の各段の前記水平段部に各々固定されている請求項５記載のオープン階段の耐火構造。
【発明の詳細な説明】
【技術分野】
【０００１】
本発明は、オープン階段の耐火構造に関し、特に、一対の木製のササラ桁に支持させて複数の木製の段板を取り付けることにより形成されるオープン階段の耐火構造に関する。
【背景技術】
【０００２】
近年の建物では、火災加熱を受けた場合でも、構造躯体を保持できるように、準耐火構造を備えていることが望まれており、準耐火構造を備えるようにするための設計可能な基準が、建築基準法等において種々定められている。
【０００３】
例えば、木造の建物の主要構造部分である階段に関しては、建築基準法告示仕様「階段（平１２建告第１３５８号第６）」において、準耐火構造とするための基準が示されており、階段を木材のみで構成する場合には、段板を厚さ６０ｍｍ以上の木材とし、且つ段板を支える桁を厚さ６０ｍｍ以上の木材とすることや、階段を防火被覆する場合には、段板や桁を厚さ３５ｍｍ以上の木材とする仕様と、段板や桁を厚さ３５ｍｍ未満の木材とする仕様とに分けて、段板裏面の防火被覆や、桁の外側の防火被覆について規定している（例えば、非特許文献１参照）。
【０００４】
また、例えば一般財団法人建材試験センターが制定した「防耐火性能試験・評価業務方法書」には、「４．２  準耐火性能試験方法（り）」に、木製の階段に関して、試験体として、段板及び段板を支える桁の断面形状及び大きさを、実施のものと同一とし、幅は１２００ｍｍ以上、段数は５段以上としたものを用いることや、試験条件として、炉内熱電対によって測定した加熱温度の時間経過が設定温度との許容誤差内の数値となるように加熱すると共に、踏み板の中央部に６５ｋｇのおもりを用いて載荷しながら試験を行うことや、準耐火性能の判定基準として、要求耐火時間に等しい時間の加熱が終了した試験終了時に、段板の中央部における最大たわみ量が段板の支持長さの１／３０を超えなければ、準耐火性能を備えているとすることが記載されている（例えば、非特許文献２参照）。
【０００５】
一方、木製の階段においては、段板を支える桁であるササラ桁を、例えば階段の両側の側壁部に取り付けることで、階段が形成された後は、ササラ桁が段板や蹴込み板等によって覆い隠されるようにするのが一般的であるが、近年、木製の階段においても、オープン階段と呼ばれる、ササラ桁が見える状態で形成される意匠性に優れた階段が、種々形成されるようになっている（例えば、特許文献１参照）。
【先行技術文献】
【非特許文献】
【０００６】
【非特許文献１】建築基準法告示仕様「階段（平１２建告第１３５８号第６）」
【非特許文献２】一般財団法人建材試験センターが制定した「防耐火性能試験・評価業務方法書」、「４．２  準耐火性能試験方法（り）」
【特許文献】
【０００７】
【特許文献１】特開２０１５−１３５０２３号公報
【発明の概要】
【発明が解決しようとする課題】
【０００８】
しかしながら、木製のオープン階段を、準耐火構造を備えるように形成する際に、例えば段板の厚さを６０ｍｍ以上とすると、段板が過度に分厚く見えて意匠性が損なわれやすくなり、また段板にせっこうボード等の不燃材料を取り付けて防火被覆すると、木質感が失われることになって、同じように意匠性が損なわれやすくなる。
【０００９】
本発明は、準耐火構造を備える意匠性に優れた木製のオープン階段を、容易に形成することのできるオープン階段の耐火構造を提供することを目的とする。
【課題を解決するための手段】
【００１０】
本発明は、一対の木製のササラ桁に支持させて複数の木製の段板を取り付けることにより形成されるオープン階段の耐火構造であって、前記ササラ桁は、厚さが６０ｍｍ以上の木製材料を用いて形成されており、前記ササラ桁の各段に取り付けられる前記段板は、厚さが３５ｍｍ以上の木製材料を用いて形成されており、各段の前記段板の下面における前記一対のササラ桁の水平段部によって挟まれる部分である下面矩形領域を覆って、木製耐火被覆材が取り付けられているオープン階段の耐火構造を提供することにより、上記目的を達成したものである。
【００１１】
そして、本発明のオープン階段の耐火構造は、前記木製耐火被覆材が、密度が０．５ｇ／ｃｍ3以上の木製材料を用いて形成されていることが好ましい。
【００１２】
また、本発明のオープン階段の耐火構造は、各段の前記段板の下面における前記一対のササラ桁の水平段部によって挟まれる部分である下面矩形領域を覆って、木製耐火被覆材が、前記段板との合計の厚さが６０ｍｍ以下となるように取り付けられていることが好ましい。
【００１３】
さらに、本発明のオープン階段の耐火構造は、前記木製耐火被覆材が、前記ササラ桁の水平段部によって挟まれる前記下面矩形領域において、前記水平段部の先端から３５〜１５０ｍｍ、後端側に離間した部分までの領域を覆って取り付けられていることが好ましい。
【００１４】
さらにまた、本発明のオープン階段の耐火構造は、前記一対のササラ桁の各段の水平段部に両端部を固定して、段板固定用平プレートが各々取り付けられており、前記段板の下面には、切削加工を施すことにより、前記段板固定用平プレートの厚さと同様の深さを有すると共に、前記段板固定用平プレートの全体が納まる平面形状を備えるプレート収容掘込み部が形成されており、前記段板固定平プレートを前記プレート収容掘込み部に収容しつつ下面を前記段板固定平プレートに重ね合わせた状態で、前記段板が取り付けられており、前記下面矩形領域において露出する前記段板固定平プレートを下方から覆い隠すようにして、前記木製耐火被覆材が取り付けられていることが好ましい。
【００１５】
また、本発明のオープン階段の耐火構造は、前記一対のササラ桁の各段の水平段部に両端部分の桁固定部を重ね合わせた状態で、前記段板固定用平プレートの上方から固定部材を桁固定孔に打ち込むことにより、前記段板固定用平プレートを前記一対のササラ桁に固定し、前記段板固定平プレートを前記プレート収容掘込み部に収容しつつ下面を前記段板固定平プレートに重ね合わせた状態で、前記段板固定平プレートの下方から固定部材を段板固定孔に打ち込むことにより、前記段板が、前記段板固定用平プレートを介して前記一対のササラ桁の各段の前記水平段部に各々固定されていることが好ましい。
【発明の効果】
【００１６】
本発明のオープン階段の耐火構造によれば、準耐火構造を備える意匠性に優れた木製のオープン階段を、容易に形成することができる。
【図面の簡単な説明】
【００１７】
【図１】本発明の好ましい一実施形態に係るオープン階段の耐火構造を説明する、木製のオープン階段の部分破断斜視図である。
【図２】本発明の好ましい一実施形態に係るオープン階段の耐火構造を説明する、（ａ）は段板を斜め下方から見た部分斜視図、（ｂ）は段板を先端側から見た部分正面図である。
【図３】図１のＡ−Ａに沿った部分断面図である。
【図４】（ａ）は段板の上面図、（ｂ）は段板の下面図、（ｃ）は段板の正面図である。
【図５】段板固定用平プレートの上面図である。
【図６】本発明の好ましい他の実施形態に係るオープン階段の耐火構造を説明する、木製のオープン階段の部分破断斜視図である。
【発明を実施するための形態】
【００１８】
図１〜図３に示す本発明の好ましい一実施形態に係るオープン階段の耐火構造１０は、建物として、例えば木造の住宅建築物において、一階（下階）の床部２１と中二階（中上階）の床部２２との間で昇降するための階段を、意匠性に優れた木製のオープン階段２０として設ける際に、木製材料の木質感による意匠性を損なうことなく、簡易な構成によって、木製のオープン階段２０を、準耐火構造を備える階段として効率良く形成できるようにするための構造として採用されたものである。
【００１９】
すなわち、木製のオープン階段２０は、建築基準法告示仕様「階段（平１２建告第１３５８号第６）」に沿って形成する場合、段板を６０ｍｍ以上の厚さとする必要があることで過度に分厚く見えたり、せっこうボード等の不燃材料を取り付けて防火被覆することにより木質感が阻害されたりすることによって、木製のオープン階段２０としての意匠性が損なわれやすくなることから、本実施形態の耐火構造１０を採用して、段板の外観を過度に厚く見えないようにすると共に、木質感が阻害されないようにすることにより、木製のオープン階段２０としての意匠性が損なわれないようにしたまま、例えば一般財団法人建材試験センターが制定した防耐火性能試験の判定基準をクリアできるようにして、準耐火構造を備える意匠性に優れた木製のオープン階段２０を、容易に形成できるようにしたものである。
【００２０】
そして、本実施形態のオープン階段の耐火構造１０は、図１〜図３に示すように、一対の木製のササラ桁１１に支持させて、複数の木製の段板１２を取り付けることにより形成される木製のオープン階段２０に、準耐火構造としての耐火性能を付与するための構造であって、ササラ桁１１は、厚さが６０ｍｍ以上（本実施形態では６０ｍｍ）の木製材料を用いて形成されており、ササラ桁１１の各段に取り付けられる段板１２は、厚さが３５ｍｍ以上、好ましくは６０ｍｍ未満（本実施形態では、３５ｍｍ）の木製材料を用いて形成されており、各段の段板１２の下面における一対のササラ桁１１の水平段部１１ｃによって挟まれる部分である下面矩形領域１２ａ（図２（ａ）参照）を覆って、木製耐火被覆材１３が取り付けられている。
【００２１】
また、本実施形態では、木製耐火被覆材１３は、一対のササラ桁１１の水平段部１１ｃによって挟まれる下面矩形領域１２ａにおいて、水平段部１１ｃの先端からｔ＝３５〜１５０ｍｍ、後端側に離間した部分までの領域を覆って取り付けられている。
【００２２】
さらに、本実施形態では、図１に示すように、好ましくは一対のササラ桁１１の各段の水平段部１１ｃに両端部を固定して、段板固定用平プレート５０（図５参照）が各々取り付けられており、段板１２の下面には、切削加工を施すことにより、段板固定用平プレート５０の厚さと同様の深さを有すると共に、段板固定用平プレート５０の全体が納まる平面形状を備えるプレート収容掘込み部５１（図４（ａ）〜（ｃ）参照）が形成されている。段板固定平プレート５０をプレート収容掘込み部５１に収容しつつ下面を段板固定平プレート５０に重ね合わせた状態で、段板１２がササラ桁１１の水平段部１１ｃに取り付けられており、下面矩形領域１２ａにおいて露出する段板固定平プレート５０を下方から覆い隠すようにして、木製耐火被覆材１３が取り付けられている（図１、図２（ａ）参照）。
【００２３】
本実施形態では、木製のササラ桁１１は、例えば多数の木材の端材を積層させて、接着剤を介して一体として接合した集成材からなる。ササラ桁１１は、例えば工場加工によって、好ましくは６０ｍｍ程度の桁幅方向の厚さを備えると共に、図１に示すように、接合壁面２３と一階の床部２１との間に、例えば２０〜５６度程度の傾斜角度θで斜めに架設することが可能な長さを有するように形成されている。また、ササラ桁１１は、斜めに架設された際の上端部に、接合壁面２３に沿って配置される垂直な接合端面１１ａを備えると共に、下端部に、一階の床部２１に沿って配置される水平な載置端面１１ｂを備えるように形成されている。さらに、ササラ桁１１は、斜めに架設された際に、下側の縁部が、オープン階段２０の勾配に沿って直線状に斜めに延設するように形成されると共に、上側の縁部に、水平段部１１ｃと蹴込み段部１１ｄとからなる階段状の複数の段部（本実施形態では５段）を備えるように形成されている。
【００２４】
また、本実施形態では、ササラ桁１１の上端部の接合端面１１ａには、好ましくは特開２０１５−１３５０２３号公報に記載のササラ桁と同様に、位置決め切欠き部（図示せず）が形成されており、ササラ桁１１の上端部は、好ましくは特開２０１５−１３５０２３号公報に記載の接合金具と同様の金具（図示せず）を用いて、ササラ桁１１の延設方向と垂直な接合壁面２３である、一階の床部２１と中二階の床部２２との段差面となっている突当り壁面の上端部に接合されている。
【００２５】
一方、本実施形態では、ササラ桁１１の下端部は、好ましくは特開２０１５−１３５０２３号公報に記載のササラ桁と同様に、Ｌ字型固定金具３１を用いた接合構造によって、床部２１の床面に接合されている。すなわち、一階の床部２１の床面に沿わせるようにして、ササラ桁１１の下端部の載置端面１１ｂを床部２１の床面に当接させて載置すると共に、ササラ桁１１の下端部の先端垂直面１１ｅの下端部分を、Ｌ字型固定金具３１を用いて床部２１に固定する。Ｌ字型固定金具３１は、複数のビス固定孔を備える垂直プレート部と、複数のビス固定孔を備える水平プレート部とからなる、Ｌ字断面形状を備える金物である。
【００２６】
ササラ桁１１の下端部を床部２１に固定したら、好ましくは特開２０１５−１３５０２３号公報に記載のササラ桁と同様に、先端垂直面１１ｅを、ササラ桁１１と同様の集成材からなるカバー材３２によって覆うことで、Ｌ字型固定金具３１を覆い隠すことにより、ササラ桁１１の意匠性を保持することが可能になる。ササラ桁１１の最下段の水平段部１１ｃの長さを、他の段部の長さよりもカバー材３２の厚さ分、短くしておくことで、先端垂直面１１ｅを覆ってカバー材３２を取り付けた後の最下段の水平段部１１ｃの長さを、他の水平段部１１ｃの長さと同様の長さに保持することが可能になる。
【００２７】
一対の木製のササラ桁１１に支持させて取り付けられる段板１２は、例えば多数の木材の端材を積層させて、接着剤を介して一体として接合した集成材からなる。段板１２は、本実施形態では、図１及び図４（ａ）〜（ｃ）に示すように、例えば３５ｍｍ程度の厚さを備えると共に、横幅が７５０〜１０００ｍｍ程度、縦幅が１５０〜３００ｍｍ程度の大きさの、横長矩形の平面形状を有するように形成されている。段板１２の下面側には、好ましくは特開２０１５−１３５０２３号公報に記載の段板と同様に、切削加工を施すことで、プレート収容掘込み部５１が、後述する段板固定用平プレート５０の厚さと同様の例えば２〜１０ｍｍ程度の深さで、且つ段板固定用平プレート５０の全体が納まる平面形状となるように形成されている（図４（ｂ）、（ｃ）参照）。また、段板１２の上面には、連設する段板１２の側部に沿って手摺（図示せず）を立設させた状態で取り付ける際に、手摺の手摺り子の下端部を係止させるための、手摺り子係止穴１２ｂが、適宜の位置に形成されている。段板１２は、好ましく段板固定用平プレート５０を介して、一対のササラ桁１１の各段の水平段部１１ｃに各々固定されている。
【００２８】
段板固定用平プレート５０は、図１及び図５に示すように、一対の木製のササラ桁１１の水平段部１１ｃの上面に重ねて配置される両端部分の桁固定部５０ａと、これらの桁固定部５０ａの間に連続して設けられた段板固定部５０ｂとからなり、桁固定部５０ａは、段板固定部５０ｂよりも突出する、一対のササラ桁１１の蹴込み段部１１ｄへの当接凸部５０ｃを備えると共に、桁固定部５０ａには桁固定孔５０ｄが、段板固定部５０ｂには段板固定孔５０ｅが、各々開口形成されている。上述の段板１２のプレート収容掘込み部５１は、段板固定用平プレート５０の全体が納まる平面形状を有するように形成されている。
【００２９】
本実施形態では、一対のササラ桁１１の各段の水平段部１１ｃに、両端部分の桁固定部５０ａを、当接凸部５０ｃを蹴込み段部１１ｄに当接させつつ重ね合わせた状態で（図１参照）、段板固定用平プレート５０の上方から固定ビス、固定釘等の固定部材５２を桁固定孔５０ｄに打ち込むことにより、段板固定用平プレート５０を一対のササラ桁１１に固定し、段板固定平プレート５０をプレート収容掘込み部５１に収容しつつ段板１２を段板固定平プレート５０に重ね合わせた状態で（図１参照）、段板固定平プレート５０の下方から固定ビス、固定釘等の固定部材５２を、後述する木製耐火被覆材１３を貫通させつつ段板固定孔５０ｅに打ち込むことにより（図３参照）、段板１２が、段板固定用平プレート５０を介して一対のササラ桁１１の各段の水平段部１１ｃに各々固定される。
【００３０】
また、本実施形態では、段板１２の下面側に形成されたプレート収容掘込み部５１は、図４（ｂ）に示すように、段板固定用平プレート５０における、両端部分の一対の当接凸部５０ｃと段板固定部５０ｂとによって三方を囲まれた、後縁凹部５０ｆ（図５参照）と対応する部分を、後端被覆部５１ｆとして残した状態で形成されている。
【００３１】
さらに、本実施形態では、段板固定用平プレート５０の両端部分の一対の当接凸部５０ｃは、一対のササラ桁１１の設計間隔と同様の間隔を保持して設けられていることで、一対のササラ桁１１を位置決めする際のガイドとして機能するようになっている。すなわち、本実施形態では、両側の当接凸部５０ｃは、横長の矩形形状を備えるように外側後方に張り出して、各々突出して設けられており、これらの当接凸部５０ｃの内側の辺部の間には、一対のササラ桁１１の設計間隔と同様の間隔が保持されている。これによって、一対のササラ桁１１の各々の水平段部１１ｃに段板固定用平プレート５０を固定する際に、両側の当接凸部５０ｃの内側辺部が、一対のササラ桁１１の水平段部１１ｃの内側縁部に各々沿うように、当接凸部５０ｃをガイドとして固定用平プレート５０やササラ桁１１を位置決めしながら、これらの位置を調整して固定することが可能になる。またこれによって、一対のササラ桁１１が平行に配置されるようにササラ桁１１の間隔を計測して、その都度チェックしたり調整したりする作業を要することなく、固定用平プレート５０やササラ桁１１をスムーズに位置決めできるようにして、段板固定用平プレート５０を固定する際の施工性を効果的に向上させることが可能になる。
【００３２】
そして、本実施形態では、各段の段板１２の下面における一対のササラ桁１１の水平段部１１ｃによって挟まれる部分である下面矩形領域１２ａを覆って、木製耐火被覆材１３が取り付けられている。木製耐火被覆材１３は、好ましくは耐火性能に優れた木製材料として、密度が０．５ｇ／ｃｍ3以上の、例えばラバーウッド、ヒノキ、ヒバ、スギ、カラマツ、ベイヒ、ベイヒバ、ベイスギ、ベイマツ、ダフリカカラマツ、サイプレスパイン、オウシュウアカマツ、ケヤキ、クリ、クヌギ、ミズナラ、カプール、セランガンバツ、アピトン、ケンパス、ボンゴシ、イペ、ジャラ、メイプル、チェリー、オーク、チーク、マホガニー、ウォルナット等を用いて形成されおり、好ましくは１０ｍｍ以上の厚さ（本実施形態では２０ｍｍの厚さ）を有している。木製耐火被覆材１３を、密度が０．５ｇ／ｃｍ3以上の木製材料を使用して形成したことにより、より優れた耐火性能を発揮することが可能になる。また、木製の段板１２と木製耐火被覆材１３の合計の厚さが例えば５５ｍｍとなっていて、段板の厚さを６０ｍｍ以上とする建築基準法告示仕様「階段（平１２建告第１３５８号第６）」の仕様を満たさなくても、例えば一般財団法人建材試験センターが制定した防耐火性能試験の準耐火構造の判定基準をクリアできるオープン階段を、容易に形成することが可能になる。
【００３３】
また、本実施形態では、木製耐火被覆材１３は、各段の段板１２の下面における一対のササラ桁１１の水平段部１１ｃによって挟まれる部分である下面矩形領域１２ａの、全体を覆って取り付けられている必要は必ずしも無く、例えば一般財団法人建材試験センターが制定した防耐火性能試験による準耐火構造の判定基準をクリアすることが可能な状態で、下面矩形領域１２ａの一部を残した領域に取り付けることができる。すなわち、木製耐火被覆材１３は、好ましくは、図２（ａ）に示すように、一対のササラ桁１１の水平段部１１ｃによって挟まれる下面矩形領域１２ａにおける、水平段部１１ｃの先端から、ｔ＝３５〜１５０ｍｍ、後端側に離間した部分までの領域を覆って取り付けられていることが好ましい。また木製耐火被覆材１３は、一対のササラ桁１１の水平段部１１ｃによって挟まれる下面矩形領域１２ａにおける、段板１２の後端から、水平段部１１ｃの先端からｔ＝３５〜１５０ｍｍ、後端側に離間した部分までの領域を覆って取り付けられていることが好ましい。
【００３４】
これによって、木製のオープン階段２０の正面側の周囲からは、木製耐火被覆材１３が見え難くなることを可能にして、厚さの薄い段板１２によるオープン階段２０の意匠性を保持しつつも、木製耐火被覆材１３を段板１２の下面の必要箇所に取り付けることで、例えば一般財団法人建材試験センターが制定した防耐火性能試験による準耐火構造の判定基準をクリアするのに十分な耐火性能を、オープン階段２０に容易に付与することが可能になる。また、このような観点から、木製耐火被覆材１３は、一対のササラ桁１１の水平段部１１ｃによって挟まれる下面矩形領域１２ａにおける、水平段部１１ｃの先端から、ｔ＝３５〜１５０ｍｍ、後端側に離間した部分までの領域を覆って取り付けられていることがより好ましく、段板１２の後端から、水平段部１１ｃの先端からｔ＝３５〜１５０ｍｍ、後端側に離間した部分までの領域を覆って取り付けられていることがさらに好ましい。木製耐火被覆材１３は、段板１２の下面における下面矩形領域１２ａを覆って取り付けられる際に、両側の側端面を、一対のササラ桁１１の内側面に各々密着又は当接させて取り付ける必要は必ずしもなく、これらの間にある程度の隙間を残した状態で取り付けることもできる。
【００３５】
そして、上述の構成を備える本実施形態のオープン階段の耐火構造１０によれば、準耐火構造を備える意匠性に優れた木製のオープン階段２０を、容易に形成することが可能になる。
【００３６】
すなわち、本実施形態によれば、ササラ桁１１は、厚さが６０ｍｍ以上の木製材料を用いて形成されており、ササラ桁１１の各段に取り付けられる段板１２は、厚さが３５ｍｍ以上の木製材料を用いて形成されており、各段の段板１２の下面における一対のササラ桁１１の水平段部１１ｃによって挟まれる部分である下面矩形領域１２ａを覆って、木製耐火被覆材１３が取り付けられている。
【００３７】
したがって、本実施形態によれば、段板１２として例えば厚さが３５ｍｍの薄型の段板を使用すると共に、耐火性能、意匠性、及び施工性を考慮して、耐火性能に大きく影響する部分のみを重点的に、好ましくは比較的高密度の木製材料からなる木製耐火被覆材１３によって被覆し、且つ意匠上影響が出る部分は被覆せずに、耐火性能、意匠性、及び施工性を両立した納まりを可能とすることで、準耐火構造を備える意匠性に優れた木製のオープン階段２０を、容易に形成することが可能になる。
【００３８】
また、本発明によれば、ササラ桁１１の本数が増えた場合であっても、段板１２のうち、ササラ桁１１の水平段部１１ｃの上にのる部分については薄型の厚さをかえずに、ササラ桁１１の間の部分の段板１２の下面のみに、木製耐火被覆材１３を取り付けているので、木製耐火被覆材１３による必要な部分のみの被覆によって、必要な耐火性能を効率良く担保することが可能になる。
【００３９】
さらに、本実施形態では、好ましくは段板固定用平プレート５０が、一対のササラ桁１１の水平段部１１ｃに両端部を固定して、各々取り付けられており、段板１２が、下面を段板固定平プレート５０に重ね合わせた状態で、ササラ桁１１の水平段部１１ｃに取り付けられているので、木製の段板１２と木製耐火被覆材１３との合計の厚さが例えば５５ｍｍとなっていて、段板の厚さを６０ｍｍ以上とする建築基準法告示仕様「階段（平１２建告第１３５８号第６）」の仕様を満たさなくても、例えば一般財団法人建材試験センターが制定した防耐火性能試験の準耐火構造の判定基準をクリアできるオープン階段を、段板固定用平プレート５０を介在させることで、さらに容易に形成することが可能になると共に、段板１２の下面矩形領域１２ａにおいて露出する段板固定平プレート５０を下方から覆い隠すようにして、木製耐火被覆材１３が取り付けられていることにより、例えば金属製の段板固定用平プレート５０を用いた場合でも、オープン階段２０が木質感を損なわないようにすることが可能になる。 
【００４０】
さらにまた、本実施形態では、一対のササラ桁１１の各段の水平段部１１ｃに、両端部分の桁固定部５０ａを重ね合わせた状態で、段板固定用平プレート５０の上方から固定ビス、固定釘等の固定部材５２を桁固定孔５０ｄに打ち込むことにより、段板固定用平プレート５０を一対のササラ桁１１に固定し、段板１２を段板固定平プレート５０に重ね合わせた状態で、段板固定平プレート５０の下方から固定ビス、固定釘等の固定部材５２を、木製耐火被覆材１３を貫通させつつ段板固定孔５０ｅに打ち込むことにより、段板１２が、段板固定用平プレート５０を介して一対のササラ桁１１の各段の水平段部１１ｃに各々固定されているので、段板１２の上面にダボ穴を形成したり、埋木ダボ材を用いたりすることなく、簡易な構成によって、容易に且つ安定した状態で段板１２をササラ桁１１に固定することが可能になると共に、より意匠性に優れた木製のオープン階段２０を形成することが可能になる。
【００４１】
なお、本実施形態と同様の構成の耐火構造１０を備えるオープン階段２０について、実際に、一般財団法人建材試験センターが制定した「防耐火性能試験・評価業務方法書」、「４．２  準耐火性能試験方法（り）」に従った実証実験を行ったところ、本実施形態と同様の構成の耐火構造１０を備えるオープン階段２０は、準耐火構造の判定基準をクリアして、所望の準耐火性能を備えていることが判明した。
【００４２】
図６は、本発明の好ましい他の実施形態に係るオープン階段の耐火構造１０’を説明するものである。図６に示す他の実施形態に係るオープン階段の耐火構造１０’では、段板１２’が、３本のササラ桁１１’に跨る長さを備えるように形成されていることや、木製耐火被覆材１３が、２５ｍｍの厚さを有していて、３５ｍｍの厚さの段板１２’との合計の厚さが６０ｍｍとなるように取り付けられていること以外は、上記実施形態のオープン階段の耐火構造１０と、略同様の構成を備えている。なお、図６に示す他の実施形態のオープン階段の耐火構造１０’に関して、上記実施形態のオープン階段の耐火構造１０と同様の構成部分については、同一の符号を付して説明を省略している。特に言及しない構成部分については、上記実施形態のオープン階段の耐火構造１０に関する説明が適宜適用される。また、図７に示す他の実施形態のオープン階段の耐火構造１０’では、各々段板１２’の先端側部分の下面から下方に張り出すようにして、段板１２’と段板１２’との隙間から階段利用者や物等が転落するのを防止するための、転倒防止部材５３が取り付けられている。
【００４３】
本他の実施形態に係るオープン階段の耐火構造１０’によっても、ササラ桁１１’は、厚さが６０ｍｍの木製材料を用いて形成されており、ササラ桁１１’の各段に取り付けられる段板１２’は、厚さが３５ｍｍの木製材料を用いて形成されており、各段の段板１２’の下面における一対のササラ桁１１’の水平段部１１ｃ’によって挟まれる部分である下面矩形領域を覆って、木製耐火被覆材１３’が取り付けられているので、上記実施形態のオープン階段の耐火構造１０と同様の作用効果が奏される。また、木製耐火被覆材１３’が、段板１２’との合計の厚さが６０ｍｍとなるように取り付けられているので、木製耐火被覆材１３’を、密度が０．５ｇ／ｃｍ3以上の木製材料を用いて形成しなくても、例えば一般財団法人建材試験センターが制定した防耐火性能試験の準耐火構造の判定基準をクリアできるオープン階段を、容易に形成することが可能になることに加えて、建築基準法告示仕様「階段（平１２建告第１３５８号第６）」の仕様をも満たす準耐火構造のオープン階段を、形成することが可能になる。
【００４４】
なお、本発明は上記実施形態に限定されることなく種々の変更が可能である。例えば、段板は、段板固定用平プレートを介して一対のササラ桁の水平段部に各々固定されている必要は必ずしも無く、段板固定用平プレートを用いることなく、ダボ等を用いて、ササラ桁の各段の水平段部に段板が直接固定されていても良い。
【符号の説明】
【００４５】
１０，１０’  オープン階段の耐火構造
１１，１１’  ササラ桁
１１ａ  接合端面
１１ｂ  載置端面
１１ｃ，１１ｃ’  水平段部
１１ｄ  蹴込み段部
１１ｅ  先端垂直面
１２，１２’  段板
１２ａ  下面矩形領域
１３，１３’  木製耐火被覆材
２０  オープン階段
２１  一階（下階）の床部
２２  中二階（中上階）の床部
２３  接合壁面
３１  Ｌ字型固定金具
３２  カバー材
５０  段板固定用平プレート
５０ａ  桁固定部
５０ｂ  段板固定部
５０ｃ  当接凸部
５０ｄ  桁固定孔
５０ｅ  段板固定孔
５０ｆ  後縁凹部
５１  プレート収容掘込み部
５１ｆ  後端被覆部
５２  固定部材
【図１】
2020133330.tif 000003
【図２】
2020133330.tif 000004
【図３】
2020133330.tif 000005
【図４】
2020133330.tif 000006
【図５】
2020133330.tif 000007
【図６】
2020133330.tif 000008